(57)【要約】【課題】「身体装飾品」や「車内装飾品」としても使用でき、しかも実用的なお鈴にも劣らない音を発生させることのできる小型のお鈴を提供すること。【解決手段】上部に支承台及びこれから上方に突出するお鈴取付部を有するとともに、下部が指で摘んで持つことのできるお鈴支持棒１０と、支承台上のお鈴座布団２０を介してお鈴取付部に取り付けたお鈴３０と、このお鈴３０中に突出しているお鈴取付部内に挿入して取り付けられる鈴棒４０とを備えたこと。【選択図】図１
2011110185.tif 000002
【特許請求の範囲】
【請求項１】
上部に支承台及びこれから上方に突出するお鈴取付部を有するとともに、下部が指で摘んで持つことのできるお鈴支持棒と、前記支承台上のお鈴座布団を介して前記お鈴取付部に取り付けたお鈴と、このお鈴中に突出している前記お鈴取付部内に挿入して取り付けられる鈴棒とを備えたことを特徴とする携帯用小型お鈴。
【請求項２】
前記お鈴の開口部の近傍の肉厚を、前記お鈴の下部の肉厚より厚くしたことを特徴とする請求項１に記載の携帯用小型お鈴。
【発明の詳細な説明】
【技術分野】
【０００１】
本発明は、鈴棒で叩いて音を出すお鈴に関し、特に、指で摘んで操作でき、しかも所謂ストラップとしても利用できる携帯用小型お鈴に関するものである。
【背景技術】
【０００２】
仏具の一種である「お鈴」は、祭壇の近傍に置く大型のものから、僧侶がお墓等に持参する中型のものまで種々なものが存在している。これらの大型あるいは中型のお鈴は実用的なものであって、所謂「身体装飾品」や「車内装飾品」としても使用できる小型のものではない。
【０００３】
お鈴を小型のものにしようとすると、これに合った鈴棒も小さくなって置き場に困るし、このような小さな鈴棒で叩いたときの音が十分であるか否かも気になるところであるが、鈴棒の置き場や音の調節に関して、特許文献１にて提案されているような改善がある。
【先行技術文献】
【特許文献】
【０００４】
【特許文献１】特開２００９−１４８５２０号公報、要約、代表図
【発明の概要】
【発明が解決しようとする課題】
【０００５】
特許文献１に記載された「仏具用鈴台」は、「鈴を叩くための鈴棒を置き易くし、鈴の反響音を調節でき、鈴を叩き易くすることができる仏具用鈴台を提供すること」を目的としてなされたもので、図９にも示すように、「中央に鈴をネジ止めするための取付部を有する円盤状の仏具用鈴台であって、鈴台の外周に鈴棒の転がりを防止する膨出部を複数箇所形成したこと」を特徴とするものである。
【０００６】
しかしながら、この特許文献１に記載された「仏具用鈴台」は、あくまでも実用的なものであり、「身体装飾品」や「車内装飾品」としても使用できる小型のものではない。
【０００７】
そこで、本発明者等は、「身体装飾品」や「車内装飾品」としても使用できる小型のお鈴とするにはどうしたらよいか、について種々検討を重ねてきた結果、本発明を完成したのである。
【０００８】
すなわち、本発明の目的とするところは、「身体装飾品」や「車内装飾品」としても使用でき、しかも実用的なお鈴にも劣らない音を発生させることのできる小型のお鈴を提供することにある。
【課題を解決するための手段】
【０００９】
以上の課題を解決するために、まず、請求項１に係る発明の採った手段は、後述する最良形態の説明中で使用する符号を付して説明すると、
「上部に支承台１１及びこれから上方に突出するお鈴取付部１２を有するとともに、下部が指で摘んで持つことのできるお鈴支持棒１０と、支承台１１上のお鈴座布団２０を介してお鈴取付部１２に取り付けたお鈴３０と、このお鈴３０中に突出しているお鈴取付部１２内に挿入して取り付けられる鈴棒４０とを備えたことを特徴とする携帯用小型お鈴１００」
である。
【００１０】
すなわち、この請求項１に係る携帯用小型お鈴１００では、お鈴３０を支持するお鈴支持棒１０が、図１にも示すように、指で摘む程度の大きさのものにしてあるし、このお鈴支持棒１０に取り付けられるお鈴３０も非常に小さなものとなっているため、全体として非常に小型のものとなっているのである。このため、この携帯用小型お鈴１００は、身体に取り付けたり車内に吊り下げたりして装飾物とすることは勿論、後述の実施例で述べるようなストラップ５０を介して携帯電話等に取り付ける等、種々な装飾品として使用することができるものである。
【００１１】
ここで、お鈴３０を鳴らしたい場合は、図１にも示すように、お鈴３０の中央上方に鈴棒４０の一部が突出しているから、これを摘んで引き出す。この鈴棒４０は、図４にも示すように、お鈴取付部１２内に挿入してあるだけであるから簡単に取り出せ、逆に、使用後はこの鈴棒４０はお鈴取付部１２内に挿入して固定される。取り出した鈴棒４０によってお鈴３０を叩けば、「チーン」と鳴ることになる。
【００１２】
勿論、お鈴３０は、お鈴支持棒１０の支承台１１上に位置するお鈴取付部１２に、お鈴座布団２０を介して取り付けてあるから、お鈴３０を鈴棒４０で叩いたときのお鈴３０の振動は長く続くことになるし、このお鈴３０の振動は、お鈴座布団２０やお鈴支持棒１０の存在によって阻害されることはないため、お鈴３０は、音が籠もることはなく明確に鳴ることになる。
【００１３】
従って、この請求項１に係る携帯用小型お鈴１００は、「身体装飾品」や「車内装飾品」としても使用でき、しかも実用的なお鈴にも劣らない音を発生させることができるものとなっているのである。
【００１４】
また、上記課題を解決するために、請求項２に係る発明の採った手段は、上記請求項１に記載の携帯用小型お鈴１００について、
「お鈴３０の開口部３１の近傍の肉厚を、お鈴３０の下部の肉厚より厚くしたこと」
である。
【００１５】
すなわち、この請求項２の携帯用小型お鈴１００では、特に、これを構成しているお鈴３０について、その開口部３１の近傍の肉厚を、お鈴３０の下部の肉厚より厚くしたものであり、これにより、開口部３１が鈴棒４０によって叩かれたときに生じた振動エネルギーが長時間保存されることになる。
【００１６】
つまり、お鈴３０の下部はお鈴座布団２０やお鈴取付部１２に直接接触している部分で、これらのお鈴座布団２０やお鈴取付部１２によってお鈴３０の下部の振動は吸収され易くなっているが、お鈴３０の開口部３１の近傍の肉厚部分が振動エネルギーを保存していることから、お鈴３０は長時間にわたって鳴り響くことになるのである。
【００１７】
従って、この請求項２に係る携帯用小型お鈴１００は、上記請求項１のそれと同様な機能を発揮する他、お鈴３０の鳴り響く時間が長くなっているのである。
【発明の効果】
【００１８】
以上、説明した通り、本発明においては、
「上部に支承台１１及びこれから上方に突出するお鈴取付部１２を有するとともに、下部が指で摘んで持つことのできるお鈴支持棒１０と、支承台１１上のお鈴座布団２０を介してお鈴取付部１２に取り付けたお鈴３０と、このお鈴３０中に突出しているお鈴取付部１２内に挿入して取り付けられる鈴棒４０とを備えたこと」
にその構成上の主たる特徴があり、これにより、「身体装飾品」や「車内装飾品」としても使用でき、しかも実用的なお鈴にも劣らない音を発生させることのできる小型のお鈴１００を提供することができるのである。
【図面の簡単な説明】
【００１９】
【図１】本発明に係る携帯用小型お鈴１００を指で摘んだ状態を示す斜視図である。
【図２】同携帯用小型お鈴１００を示すもので、（ａ）は平面図、（ｂ）はストラップ５０や装飾品６０を連結できる可能性をも示す正面図である。
【図３】同携帯用小型お鈴１００を示すもので、（ａ）は正面図、（ｂ）は右側面図、（ｃ）は平面図、（ｄ）は底面図である。
【図４】同携帯用小型お鈴１００の拡大縦断面図である。
【図５】同携帯用小型お鈴１００を構成しているお鈴支持棒１０を拡大して示すもので、（ａ）は正面図、（ｂ）は断面図、（ｃ）は平面図である。
【図６】同携帯用小型お鈴１００を構成しているお鈴座布団２０を拡大して示すもので、（ａ）は平面図、（ｂ）は正面図である。
【図７】同携帯用小型お鈴１００を構成しているお鈴３０を拡大して示すもので、（ａ）は平面図、（ｂ）は断面図である。
【図８】同携帯用小型お鈴１００を構成している鈴棒４０の拡大正面図である。
【図９】特許文献１に示された技術を示す断面図である。
【発明を実施するための形態】
【００２０】
次に、上記のように構成した各請求項に係る発明を、図面に示した実施の形態に係る携帯用小型お鈴１００について説明すると、図１には、指で摘んだ状態の本発明に係る携帯用小型お鈴１００が示してある。この携帯用小型お鈴１００は、基本的には、図５に示したお鈴支持棒１０と、このお鈴支持棒１０の支承台１１上に載置される図６に示したお鈴座布団２０と、このお鈴座布団２０のさらに上側に配置される図７に示したお鈴３０と、このお鈴３０内に臨むお鈴支持棒１０のお鈴取付部１２に挿入されることになる図８に示した鈴棒４０とからなっていて、これらのお鈴支持棒１０、お鈴座布団２０、お鈴３０及び鈴棒４０は、図１〜図４に示したように組み付けられる。
【００２１】
お鈴支持棒１０は、図４及び図５に示したように、支承台１１とお鈴取付部１２とを一体成形したものであり、図示上下方向の長さを、４１．５ｍｍ程度のものにしたものである。また、このお鈴支持棒１０の中心には、上下に貫通する貫通穴が形成してあり、この貫通穴（本実施形態では、直径が３．３ｍｍ）内には、後述する鈴棒４０が差し込まれることになる。なお、本実施形態の支承台１１の直径は、１３ｍｍである。
【００２２】
このお鈴支持棒１０の上部に一体成形したお鈴取付部１２は、図５の（ｃ）に示したように、合計４本の取付アーム１２ａからなっており、これらの取付アーム１２ａは、図５の（ａ）及び（ｂ）に示したように、切欠溝１２ｅを介在させることにより、それぞれ独立して曲がる（撓む）ことができるようにしてある。つまり、これらの取付アーム１２ａは、後述するお鈴３０の通し穴３２内に通されることになるもので、挿通時には内側に曲がることになるものである。
【００２３】
そして、各取付アーム１２ａの中程外側には、図４及び図５の（ｂ）に示したように、係止溝１２ｂが形成してある。この係止溝１２ｂは、各お鈴取付部１２に通されたお鈴３０の通し穴３２を係止させるものであり、お鈴３０のお鈴取付部１２からの抜け止めを果たすものである。勿論、各お鈴取付部１２の、係止溝１２ｂより下側部分の全体の直径は、お鈴３０の通し穴３２より小さくなっていることは言うまでもない。
【００２４】
一方、各取付アーム１２ａの上部内側には、図４及び図５の（ｂ）に示したように、係止突起１２ｃが形成してある。各係止突起１２ｃは、後述する鈴棒４０の外周に形成した係止溝４１内に係合するもので、お鈴取付部１２内に上方から挿入されてきた鈴棒４０を係止して抜け止めを果たすものである。
【００２５】
なお、このお鈴支持棒１０の下部には、図１〜図５に示したように通し穴１３が形成してある。この通し穴１３は、図２の（ｂ）中に示したストラップ５０や装飾品６０を取り付けるためのもので、ストラップ５０を取り付けた場合には、当該携帯用小型お鈴１００を携帯電話や身体に取り付けることができるのであり、装飾品６０を取り付けた場合には、当該携帯用小型お鈴１００の装飾を図ったり、当該携帯用小型お鈴１００の所有者の名前表示を行ったりする。
【００２６】
お鈴座布団２０は、図６に示したように、お鈴取付部１２の上方から差し込むための挿入穴２１を有するもので、図１〜図４に示したように、お鈴支持棒１０の支承台１１上に載置されるものである。また、このお鈴座布団２０は、図２及び図４に示したように、その上にお鈴３０を載置して、お鈴３０の振動の減衰を柔らかくするものである。
【００２７】
図７にはお鈴３０が示してある。このお鈴３０は、直径が２０ｍｍで、高さが１２．５ｍｍ程度の非常に小さなお椀状のものであり、その底部中心には、当該お鈴３０をお鈴取付部１２に挿通するための通し穴３２が形成してある。
【００２８】
このお鈴３０は、後述する鈴棒４０によってその開口部３１の外側を叩いたとき音を発生するものであり、その開口部３１近傍の肉厚Ｌ１を約１ｍｍにする一方、底部の肉厚Ｌ２を約０．５ｍｍとして、鈴棒４０で叩かれる部分である開口部３１の近傍の肉厚を他より厚くしてある。これにより、お鈴３０の開口部３１の近傍の振動エネルギーを長く保存できる。
【００２９】
図８には、お鈴３０を叩くための鈴棒４０の拡大正面図が示してあるが、この鈴棒４０は、長さが４５ｍｍで最大直径が３．２ｍｍのものである。図８に示した状態の鈴棒４０は、上部が指で摘む摘み部４２としてあり、この摘み部４２の直下に係止溝４１が形成してある。この係止溝４１は、前述した複数の取付アーム１２ａの内側に形成してある係止突起１２ｃに係合するものであり、お鈴取付部１２内に挿入されたときの抜き止めを果たすものである。
【００３０】
なお、この鈴棒４０は、紐や鎖等を使用して、お鈴支持棒１０に連結しておけば、仮に手指から離したとしても、当該携帯用小型お鈴１００から、簡単には外れないようにすることができる。
【符号の説明】
【００３１】
１００    携帯用小型お鈴
１０    お鈴支持棒
１１    支承台
１２    お鈴取付部
１２ａ  取付アーム
１２ｂ  係止溝
１２ｃ  係止突起
１２ｅ  切欠溝
１３    通し穴
２０    お鈴座布団
２１    挿入穴
３０    お鈴
３１    開口部
３２    通し穴
４０    鈴棒
４１    係止溝
４２    摘み部
５０    ストラップ
６０    装飾品
【図１】
2011110185.tif 000003
【図２】
2011110185.tif 000004
【図３】
2011110185.tif 000005
【図４】
2011110185.tif 000006
【図５】
2011110185.tif 000007
【図６】
2011110185.tif 000008
【図７】
2011110185.tif 000009
【図８】
2011110185.tif 000010
【図９】
2011110185.tif 000011